(57)【特許請求の範囲】
【請求項１】
筐体を有する支持体と、竿受部を有する腕杆を具備し、支持体に腕杆を回動可能に取り付けて成る物干装置において、筐体は、上下左右に上板、底板及び両側板を有し、前面及び後面に開口部を設けてある略箱状で、腕杆は、先端部を後面の開口部から筐体に挿入して、後部を筐体の両側板の内面間に軸支して成り、さらに腕杆の後面の開口部から、係止部材と操作部材を有する係止具を筐体に挿入し、後面の開口部に裏蓋を取り付けて組み立てることによって、係止具及び腕杆が離脱せず回動可能な状態に取り付けられるように構成し、腕杆は、後端部に係合部を設けて成り、係止具の係止部材は、腕杆の係合部に係合する係止部を設けると共に、係止部より上方の位置で支持体に回動可能に軸支され、操作部材は、支持体の外部から操作可能な操作部を設けると共に、支持体に回動可能に軸支され、係止部材と操作部材は連係しており、操作部材を回動することによって係止部材を回動することができるように構成し、係止具の操作部材を操作することによって係止部材は回動してその係止部が係合部と係脱可能となり、腕杆の係合部と係止具の係止部材の係止部は、少なくともいずれか一方を複数設けて、腕杆を複数の角度位置に変更することができることを特徴とする物干装置。
【請求項２】
筐体を有する支持体と、竿受部を有する腕杆を具備し、支持体に腕杆を回動可能に取り付けて成る物干装置において、筐体は、上下左右に上板、底板及び両側板を有し、前面及び後面に開口部を設けてある略箱状で、腕杆は、先端部を後面の開口部から筐体に挿入して、後部を筐体の両側板の内面間に軸支して成り、さらに腕杆の後面の開口部から係止具を筐体に挿入し、後面の開口部に裏蓋を取り付けて組み立てることによって、係止具及び腕杆が離脱せず回動可能な状態に取り付けられるように構成し、腕杆は、後端部に係合部を設けて成り、係止具は、腕杆の係合部に係合する係止部と外部から操作可能な操作部を設けると共に、係止部より上方の位置で支持体に回動可能に軸支され、操作部を回動することによって係止具を回動することができるように構成し、係止具の操作部を操作することによって係止部は回動して係合部と係脱可能となり、腕杆の係合部と係止具の係止部は、少なくともいずれか一方を複数設けて、腕杆を複数の角度位置に変更することができることを特徴とする物干装置。
【発明の詳細な説明】
【技術分野】
【０００１】
本発明は、窓の両側壁面等に取り付けて、物干竿を挿通して使用する物干装置に関するものである。
【背景技術】
【０００２】
従来より、特願２００７−１２２３９０号（特開２００８−２７２３５４号）発明が提案されており、この従来例においては、台座１４の開口部２０からアーム部材３６を取付部１６の建築物１２側の面から差し込み、台座１４の開口部２０からスペーサ２６を入れ、アーム部材３６の連結部４２にスペーサ２６を取り付ける。これにより、アーム部材３６の軸部４４は、台座１４のスペーサ収容部２４とスペーサ２６の軸部収容部３４で囲まれた範囲内で移動できるように、アーム部材３６は、台座１４に取り付けられるものである。
【０００３】
また、特願平３−２３２８５号（特開平４−２６１９５３号）発明が提案されており、この従来例においては、手摺１（物干竿として使用）を軸９ａで支持部９内で回動可能に支持され、支持部９内部にストッパピン１１が軸１１ａに軸支されている。そして、ストッパピン１１の係合爪１１ｂと手摺１基端部の係合部１ｃとが係合・解除できるようになっている。
【先行技術文献】
【特許文献】
【０００４】
【特許文献１】特開２００８−２７２３５４号公報
【特許文献２】特開平４−２６１９５３号公報
【発明の概要】
【発明が解決しようとする課題】
【０００５】
上記特許文献１記載の従来例においては、アーム部材３６を台座１４の中で移動させてその角度を変える構造であるが、その移動のさせ方がアーム部材３６を単に回動させるだけではなく、軸部４４をずらしてから回動する必要があり複雑でその操作が難しいという問題があり、上記特許文献２記載の従来例においては、手摺１と軸９ａ、ストッパピン１１と軸１１ａをそれぞれ順に組み立てなければならず、部品数が多く組立に時間がかかりコストが高くなるし軸が露出して外観が悪いという問題があり、本発明は、これらの問題を解決することを課題としている。
【課題を解決するための手段】
【０００６】
本発明は、上記の課題を解決するための物干装置であり、請求項１においては、筐体を有する支持体と、竿受部を有する腕杆を具備し、支持体に腕杆を回動可能に取り付けて成る物干装置において、筐体は、上下左右に上板、底板及び両側板を有し、前面及び後面に開口部を設けてある略箱状で、腕杆は、先端部を後面の開口部から筐体に挿入して、後部を筐体の両側板の内面間に軸支して成り、さらに腕杆の後面の開口部から、係止部材と操作部材を有する係止具を筐体に挿入し、後面の開口部に裏蓋を取り付けて組み立てることによって、係止具及び腕杆が離脱せず回動可能な状態に取り付けられるように構成し、腕杆は、後端部に係合部を設けて成り、係止具の係止部材は、腕杆の係合部に係合する係止部を設けると共に、係止部より上方の位置で支持体に回動可能に軸支され、操作部材は、支持体の外部から操作可能な操作部を設けると共に、支持体に回動可能に軸支され、係止部材と操作部材は連係しており、操作部材を回動することによって係止部材を回動することができるように構成し、係止具の操作部材を操作することによって係止部材は回動してその係止部が係合部と係脱可能となり、腕杆の係合部と係止具の係止部材の係止部は、少なくともいずれか一方を複数設けて、腕杆を複数の角度位置に変更することができることを特徴とする物干装置であり、請求項２においては、筐体を有する支持体と、竿受部を有する腕杆を具備し、支持体に腕杆を回動可能に取り付けて成る物干装置において、筐体は、上下左右に上板、底板及び両側板を有し、前面及び後面に開口部を設けてある略箱状で、腕杆は、先端部を後面の開口部から筐体に挿入して、後部を筐体の両側板の内面間に軸支して成り、さらに腕杆の後面の開口部から係止具を筐体に挿入し、後面の開口部に裏蓋を取り付けて組み立てることによって、係止具及び腕杆が離脱せず回動可能な状態に取り付けられるように構成し、腕杆は、後端部に係合部を設けて成り、係止具は、腕杆の係合部に係合する係止部と外部から操作可能な操作部を設けると共に、係止部より上方の位置で支持体に回動可能に軸支され、操作部を回動することによって係止具を回動することができるように構成し、係止具の操作部を操作することによって係止部は回動して係合部と係脱可能となり、腕杆の係合部と係止具の係止部は、少なくともいずれか一方を複数設けて、腕杆を複数の角度位置に変更することができることを特徴とする物干装置である。
【発明の効果】
【０００７】
以上のように本発明によれば、係止具の操作部材の操作部又は係止具の操作部を操作して腕杆を回動すれば角度位置を変更することができるので、腕杆の軸をずらす必要がなくその操作が簡単でわかりやすく、なおかつ組立も簡単であり、低コストで外観も良好であるという効果がある。
【０００８】
また、請求項１の発明においては、係止具の係止部材は、腕杆の係合部に係合する係止部より上方の位置で支持体に回動可能に軸支されているので、腕杆の係合部が係止具の係止部材の係止部に係合し、腕杆に洗濯物を干す等下向きの力がかかった時に、係止具の係止部材が腕杆の係合部から軸支部分に下方から上向きの力がかかり、係止具の係止部材の係止部が変形して外れる方向に回動しにくく、容易に腕杆が使用中に下方に回動してしまうことがないという効果がある。
【０００９】
また、請求項２の発明においては、係止具は、腕杆の係合部に係合する係止部より上方の位置で支持体に回動可能に軸支されているので、腕杆の係合部が係止具の係止部に係合し、腕杆に洗濯物を干す等下向きの力がかかった時に、係止具が腕杆の係合部から軸支部分に下方から上向きの力がかかり、係止具が外れる方向に回動しにくく、容易に腕杆が使用中に下方に回動してしまうことがないという効果がある。
【図面の簡単な説明】
【００１０】
【図１】実施例１の腕杆が水平の使用状態を示す側面図である。
【図２】実施例１の腕杆が水平の使用状態を示す要部拡大断面図である。
【図３】実施例１の係止具を操作して係止部と係合部を離脱させた状態の要部拡大断面図である。
【図４】図３の状態から腕杆を下方に回動して、係止具の係止部が腕杆の案内突部に当接している状態の要部拡大断面図である。
【図５】実施例１の腕杆が斜め下向きの使用状態を示す要部拡大断面図である。
【図６】実施例１の全体分解斜視図である。
【図７】実施例１の要部分解斜視図である。
【図８】実施例２の腕杆が水平の使用状態を示す要部拡大断面図である。
【実施例１】
【００１１】
図１〜図７に基づいて本発明の実施例１を説明する。
本発明の物干装置は、窓の両側壁面等に固定される支持体１に、腕杆２を回動可能に取り付けると共に、腕杆２の下方への回動を不能にする係止部材４と操作部材５とから成る係止具３を回動可能に取り付けてある。
【００１２】
支持体１は、全体を金属で製してあり、略直方体で前面と後面に開口部１８・開口部１９を設けてある筐体１０を有している。筐体１０の両側の側板１３・１３は、上板１１及び底板１２よりも少し前方に突出し、その内面には、中間部に相対向するように、後面の開口部１９に開放し前方に向かって徐々に幅が狭くなっていき前面の開口部１８の手前で円弧状になっている凹溝状の軸受部１４・１４を設けると共に、上部に相対向するように、後面の開口部１９に開放している略円弧状で凹溝状の軸受部１５・１５及び下部に相対向するように、後面の開口部１９に開放している略円弧状で凹溝状の軸受部１６・１６を設けてある。また、底板１２の基端部には、孔１７を設けてある。
【００１３】
腕杆２は、全体を金属で製してあり、複数の竿受部２１・・・２１を設けると共に、基端部両面に水滴状で厚さ方向に突出する軸部２２・２２を設け、基端縁には、ラチェット用の歯車溝である複数の係合部２０・・・２０を設け、一側面に、ラチェット用の歯車の先端面と略同一面に、腕杆２の回動中心を中心とする円弧状の摺接部２３を設けてある。さらに、最下部の係合部２０の一部を塞ぐように外方に突出している案内突部２４を設けてある。摺接部２３は、係合部２０・・・２０を挟むように両側面に設けてもよい。また、腕杆２の基端部両面には、軸部２２の部分を切り欠いた扇形状で合成樹脂製のスペーサー８・８を取り付けてある。このスペーサー８・８は、腕杆２が回動する時に、金属製の支持体１と腕杆２との間に位置し、摩擦を軽減し消音するためのものである。
【００１４】
係止具３は、係止部材４と操作部材５とから成り、係止部材４は、上端部に両側外面に突出する円柱状の軸部２５・２５を設けると共に、下端部に一方側外面に突出する円柱状の連係突部２７を設け、下部前面にラチェット用の歯車突起である２つの係止部２６・２６を上下に設けてある。図７に示すように、下方に位置する係止部２６の厚さｂは、上方に位置する係止部２６の厚さａよりも厚さが四分の一程度切り欠いて薄くなっており、腕杆２の案内突部２４に当接せず通過できるようになっている。さらに、係止部材４には、下部に一方側外面に突出する縦長長方形の角柱状の制限突部２８を設けてある。
【００１５】
操作部材５は、略中央に両側外面に突出する円柱状の軸部２９・２９を設け、上端部に略Ｕ字状の連係凹部３１を設けると共に、下端部に支持体１の筐体１０の孔１７から突出する操作部３０を設けてある。なお、操作部３０は、筐体１０から突出していなくても、支持体１の外部から操作することができるものであればよい。
【００１６】
裏蓋７は、縦長板状の前面に縦方向に２条の突条３２・３２を間隔をあけて設け、さらにその上下部にそれぞれ円弧状に凹んでいる軸押さえ部３３・３３及び軸押さえ部３４・３４を設けてあり、支持体１の後面に上下部を固定され、後面の開口部１９を塞ぐものである。
【００１７】
本実施例の物干装置の組立方法を説明する。
スペーサー８・８を取り付けた腕杆２の先端を、支持体１の後面の開口部１９から挿入し、基端部の軸部２２・２２を凹溝状の軸受部１４・１４の先端に当接させて、腕杆２を支持体１前面の開口部１９から突出させた状態にする。腕杆２は、水滴状の軸部２２・２２が軸受部１４・１４の上下端に当接する範囲内で回動が可能な状態である。
【００１８】
次に、係止具３の操作部材５を支持体１の後面の開口部１９から挿入し、軸部２９・２９を凹溝状の軸受部１６・１６の先端に当接させると共に、操作部３０を支持体１の筐体１０の底板１２に設けた孔１７から突出させ、係止具３の係止部材４を支持体１の後面の開口部１９から挿入し、連係突部２７を操作部材５の連係凹部３１と連係させながら、軸部２５・２５を凹溝状の軸受部１５・１５の先端に当接させる。
【００１９】
そして、係止部材４前面の係止部２６・２６を、腕杆２のいずれか２箇所の係合部２０・２０に係合させ、係止部材４後面にばね６を当接させて、そのばね６を縮めるようにして裏蓋７を、後面の開口部１９に固定する。すると、係止具３の操作部材５の前面が腕杆２の後端縁に当接し、裏蓋７の突条３２・３２の軸押さえ部３３・３３及び軸押さえ部３４・３４が係止部材４の軸部２５・２５及び操作部材５の軸部２９・２９に当接する状態になる。この状態では、軸部２５・２５及び軸部２９・２９は軸受部１５・１５及び軸受部１６・１６の中に収納されることになり、係止具３の係止部材４は、支持体１の中で軸部２５・２５を中心に、係止具３の操作部材５は、支持体１の中で軸部２９・２９を中心に、それぞれ回動が可能な状態となる。
【００２０】
本実施例の物干装置を使用するには、以上のように腕杆２が取り付けられた支持体１を、窓の両側壁面等に２つ一組にして取付ボルト９・・・９で固着して、それぞれの竿受部２１・・・２１に物干竿を挿架すればよい。
【００２１】
腕杆２の角度位置を変更するには、腕杆２を少し持ち上げて回動してから、係止具３の操作部材５の操作部３０を上方へ押して後方へ回動させることによって、連係凹部３１が連係突部２７を押して係止具３の係止部材４を、制限突部２８が裏蓋７の突条３２に当接するまで、ばね６に抗して後方へ回動させる。すると、係止部２６・２６が腕杆２の係合部２０・２０から離脱し（図３の状態）、腕杆２を上方又は下方へ回動させて、操作部３０を放して係止具３の係止部材４をばね６の力で戻して、係止部２６・２６を腕杆２の別の係合部２０・２０に係合させればよい（例えば図５の状態）。
【００２２】
腕杆２は、操作部３０を上方へ押して係止部２６・２６が腕杆２の係合部２０・２０から離脱している状態では、摺接部２３が係止具３の操作部材５に摺接しながら回動するので、その動きがスムーズである。なお、本実施例では、腕杆２の係合部２０・２０と係止具３の係止部２６・２６は、ラチェット機構になっており、腕杆２を上方へ回動すると、係止具３の係止部材４はばね６の力に抗して後方へ回動して係合部２０・２０と係止部２６・２６との係合は外れるようになっているので、腕杆２を上方へ角度位置を変更するには、単に腕杆２を上方へ回動するだけでよい。
【００２３】
係止部２６・２６が腕杆２の係合部２０・２０から離脱した状態で、腕杆２を下方へ回動すると、図４に示すように、上方の係止部２６が腕杆２の案内突部２４に当接して（上述したように下方の係止部２６は、厚さが四分の一程度切り欠いて薄くなっており、腕杆２の案内突部２４に当接せず通過できるようになっている）、係止部２６・２６は、腕杆２の最も下方に位置する２つの係合部２０・２０に案内されて係合する（図５参照）。
【実施例２】
【００２４】
図８に基づいて本発明の実施例２を説明する。
この実施例では、係止具４３が一部材で、筐体４７の上板４８の基端部に設けた孔５３から操作部６３を突出させてあるものである。
【００２５】
支持体４１は、全体を金属で製してあり、略直方体で前面と後面に開口部５４・開口部５５を設けてある筐体４７を有している。筐体４７の両側の側板５０・５０は、上板４８及び底板４９よりも少し前方に突出し、その内面には、中間部に相対向するように、後面の開口部５５に開放し前方に向かって徐々に幅が狭くなっていき前面の開口部５４の手前で円弧状になっている凹溝状の軸受部５１・５１を設けると共に、上部に相対向するように、後面の開口部に開放している略円弧状で凹溝状の軸受部５２・５２を設けてある。また、上板４８の基端部には、孔５３を設けてある。
【００２６】
腕杆４２は、全体を金属で製してあり、複数の竿受部（図示せず）を設けると共に、基端部両面に水滴状で厚さ方向に突出する軸部５７・５７を設け、基端縁には、ラチェット用の歯車溝である複数の係合部５６・・・５６を設け、一側面に、ラチェット用の歯車の先端面と略同一面に、腕杆２の回動中心を中心とする円弧状の摺接部５８を設けてある。さらに、最下部の係合部５６の一部を塞ぐように外方に突出している案内突部５９を設けてある。摺接部５８は、係合部５６・・・５６を挟むように両側面に設けてもよい。また、腕杆４２の基端部両面には、軸部５７の部分を切り欠いた扇形状で合成樹脂製のスペーサー４６・４６を取り付けてある。このスペーサー４６・４６は、腕杆４２が回動する時に、金属製の支持体４１と腕杆４２との間に位置し、摩擦を軽減し消音するためのものである。
【００２７】
係止具４３は、一部材で、略中央に両側外面に突出する円柱状の軸部６０・６０を設け、上端部に支持体４１の筐体４７の孔５３から突出する操作部６３を設け、さらには下部前面にラチェット用の歯車突起である２つの係止部６１・６１を上下に設けてある。図示しないが実施例１と同様に、下方に位置する係止部６１は、上方に位置する係止部６１よりも厚さが四分の一程度切り欠いて薄くなっており、腕杆４２の案内突部５９に当接せず通過できるようになっている。さらに、係止具４３には、下部に一方側外面に突出する縦長長方形の角柱状の制限突部６２を設けてある。なお、操作部６３は、筐体４７から突出していなくても、支持体４１の外部から操作することができるものであればよい。
【００２８】
裏蓋４５は、縦長板状の前面に縦方向に２条の突条６４・６４を間隔をあけて設け、さらにその上部に円弧状に凹んでいる軸押さえ部６５・６５を設けてあり、支持体４１の後面に上下部を固定され、後面の開口部５５を塞ぐものである。
【００２９】
本実施例の物干装置の組立方法を説明する。
スペーサー４６・４６を取り付けた腕杆４２の先端を、支持体４１の後面の開口部５５から挿入し、基端部の軸部５７・５７を凹溝状の軸受部５１・５１の先端に当接させて、腕杆４２を支持体４１前面の開口部５４から突出させた状態にする。腕杆４２は、水滴状の軸部５７・５７が軸受部５１・５１の上下端に当接する範囲内で回動が可能な状態である。
【００３０】
次に、係止具４３を支持体４１の後面の開口部５５から挿入し、軸部６０・６０を凹溝状の軸受部５２・５２の先端に当接させると共に、操作部６３を支持体４１の筐体４７の上板４８に設けた孔５３から突出させる。
【００３１】
そして、係止具４３前面の係止部６１・６１を、腕杆４２のいずれか２箇所の係合部５６・５６に係合させ、係止具４３後面にばね４４を当接させて、そのばね４４を縮めるようにして裏蓋４５を、後面の開口部５５に固定する。すると、係止具４３の前面が腕杆４２の後端縁に当接し、裏蓋４５の突条６４・６４の軸押さえ部６５・６５が係止具４３の軸部６０・６０に当接する状態になる。この状態では、軸部６０・６０は軸受部５２・５２の中に収納されることになり、係止具４３は、支持体４１の中で軸部６０・６０を中心に回動が可能な状態となる。
【００３２】
本実施例の物干装置を使用するには、以上のように腕杆４２が取り付けられた支持体４１を、窓の両側壁面等に２つ一組にして取付ボルト（図示せず）で固着して、それぞれの竿受部（図示せず）に物干竿を挿架すればよい。
【００３３】
腕杆４２の角度位置を変更するには、腕杆４２を少し持ち上げて回動してから、係止具４３の操作部６３を下方へ押して、係止具４３を制限突部６２が裏蓋４５の突条６４に当接するまで、ばね４４に抗して後方へ回動させる。すると、係止部６１・６１が腕杆４２の係合部５６・５６から離脱し、腕杆４２を上方又は下方へ回動させて、操作部６３を放して係止具４３をばね４４の力で戻して、係止部６１・６１を腕杆４２の別の係合部５６・５６に係合させればよい。
【００３４】
腕杆４２は、操作部６３を下方へ押して係止部６１・６１が腕杆４２の係合部５６・５６から離脱している状態では、摺接部５８が係止具４３に摺接しながら回動するので、その動きがスムーズである。なお、本実施例でも、腕杆４２の係合部５６・５６と係止具４３の係止部６１・６１は、ラチェット機構になっており、腕杆４２を上方へ回動すると、係止具４３はばね４４の力に抗して後方へ回動して係合部５６・５６と係止部６１・６１との係合は外れるようになっているので、腕杆４２を上方へ角度位置を変更するには、単に腕杆４２を上方へ回動するだけでよい。
【００３５】
係止部６１・６１が腕杆４２の係合部５６・５６から離脱した状態で、腕杆４２を下方へ回動すると、上方の係止部６１が腕杆４２の案内突部５９に当接して（上述したように下方の係止部６１は、厚さが四分の一程度切り欠いて薄くなっており、腕杆４２の案内突部５９に当接せず通過できるようになっている）、係止部６１・６１は、腕杆４２の最も下方に位置する２つの係合部５６・５６に案内されて係合する。
【符号の説明】
【００３６】
１    支持体
２    腕杆
３    係止具
４    係止部材
５    操作部材
７    裏蓋
１０    筐体
１１    上板
１２    底板
１３    側板
１８    開口部
１９    開口部
２０    係合部
２１    竿受部
２６    係止部
３０    操作部
４１    支持体
４２    腕杆
４３    係止具
４５    裏蓋
４７    筐体
４８    上板
４９    底板
５０    側板
５４    開口部
５５    開口部
５６    係合部
６１    係止部
６３    操作部
【図１】
0005733815.tif 000002
【図２】
0005733815.tif 000003
【図３】
0005733815.tif 000004
【図４】
0005733815.tif 000005
【図５】
0005733815.tif 000006
【図６】
0005733815.tif 000007
【図７】
0005733815.tif 000008
【図８】
0005733815.tif 000009